(57)【特許請求の範囲】
【請求項１】
一方の耳に当接する第１のハウジングと、
他方の耳に当接する第２のハウジングと、
一方の端部側に前記第１のハウジングが、他方の端部側に前記第２のハウジングが取り付けられるヘッドバンドと、
該ヘッドバンドに沿って設けられ、前記第１のハウジング側の機器と前記第２のハウジング側の機器とを接続するコードと、
前記ヘッドバンドの長手方向に沿って、前記第１のハウジング、前記第２のハウジングのうちの少なくとも一方のハウジングを前記ヘッドバンドの端部に対して接近／離反させるスライド機構と、
を有するヘッドホンにおいて、
前記ヘッドバンド側、前記ハウジング側のうち一方の側に設けられ、前記コードを固定する第１の固定部と、
前記ヘッドバンド側、前記ハウジング側のうち他方の側に設けられ、前記コードを固定する第２の固定部と、
前記第２の固定部が設けられた側で、前記第１の固定部を通り、前記ハウジングのスライド方向と平行な直線から離れた箇所に設けられ、前記第１の固定部、前記第２の固定部の間の前記コードの周面が当接可能で、前記ハウジングを前記ヘッドバンドに接近させると、前記第１の固定部側が凸の略Ｕ字形となるように前記コードを変形させる第１のガイドと、
前記第２の固定部側が設けられた側に設けられ、前記コードが前記第１のガイドに沿う方向に前記コードを案内する第２のガイドと、
を設けたことを特徴とするヘッドホン。
【請求項２】
前記ハウジングを前記ヘッドバンドの端部に最も接近させた場合、前記第１のガイドは前記第１の固定部よりも前記ヘッドバンド側に位置し、
前記ハウジングを前記ヘッドバンドの端部から最も離反させた場合、前記第１の固定部は前記第１のガイドより前記ヘッドバンド側に位置し、
前記第１の固定部は、
該第１の固定部で固定された前記コードの部分の軸線の方向が、前記ハウジングのスライド方向と略直交するように、前記コードを固定することを特徴とする請求項１記載のヘッドホン。
【発明の詳細な説明】
【技術分野】
【０００１】
本発明は、一方の耳に当接する第１のハウジングと、他方の耳に当接する第２のハウジングと、一方の端部側に前記第１のハウジングが、他方の端部側に前記第２のハウジングが取り付けられるヘッドバンドと、該ヘッドバンドに沿って設けられ、前記第１のハウジング側の機器と前記第２のハウジング側の機器とを接続するコードと、前記ヘッドバンドの長手方向に沿って、前記第１のハウジング、前記第２のハウジングのうちの少なくとも一方のハウジングを前記ヘッドバンドの端部に対して接近／離反させるスライド機構とを有するヘッドホンに関する。
【背景技術】
【０００２】
従来のヘッドホンの一例として、図７に示すようなヘッドホンがある。図に示すように、ヘッドホン装着者の一方の耳に当接する第１のハウジング３には、スピーカ１が設けられている。ヘッドホン装着者の他方の耳に当接する第２のハウジング７には、スピーカ５が設けられている。これら第１のハウジング３と第２のハウジング７とは、装着者の頭頂部から耳にかけて装着されるヘッドバンド９の端部に取り付けられている。
【０００３】
更に、ヘッドバンド９に沿って、第１のハウジング３側の機器と第２のハウジング７側の機器とを接続するコード１１が設けられている。このような形状ヘッドホンは、オーバーヘッド・ヘッドホンと呼ばれている。
【０００４】
このようなヘッドホンにおいては、ヘッドバンド９の長手方向に沿って、第１のハウジング３、第２のハウジング７をヘッドバンド９の端部に対して接近／離反可能とし、所望の位置で、その位置を保持せしめるスライド機構が設けられている。図７（ａ）は、第１のハウジング３、第２のハウジング７がヘッドバンド９の端部に対して離反した状態、図７（ｂ）は、第１のハウジング３、第２のハウジング７がヘッドバンド９の端部に対して接近した状態を示している。
【０００５】
このような構成のヘッドホンにおいては、第１のハウジング３、第２のハウジング７がヘッドバンド９の端部に対して接近した状態では、コード１１がたるむ。このコード１１のたるみが第１のハウジング３、第２のハウジング７内で発生する構造のヘッドホンでは、第１のハウジング３、第２のハウジング７内でコード１１が第１のハウジング３、第２のハウジング７内の機器に絡むおそれがある。
【０００６】
そこで、第１のハウジング３、第２のハウジング７内でコード１１が第１のハウジング３、第２のハウジング７内の機器に絡むのを防止するために、第１のハウジング３、第２のハウジング７内にたるんだコード１１が収容される凹部を形成し、蓋で凹部の開口部を塞ぎ、コード１１が機器に絡むのを防止している（例えば、特許文献１参照）。
【特許文献１】特公平４−３０９０９５号公報（第２頁−第３頁、図３、図４）
【発明の開示】
【発明が解決しようとする課題】
【０００７】
しかし、第１のハウジング３、第２のハウジング７内にたるんだコード１１が収容される凹部を形成し、蓋で凹部の開口部を塞いで、コード１１が機器に絡まないようにする構造では、以下のような問題点がある。
【０００８】
（１）蓋等の部品点数が増える。
（２）増えた蓋等を取り付ける工数が必要となる。
（３）部品点数が増えることにより、材料コストが増加する。
【０００９】
本発明は、上記問題点に鑑みてなされたもの、その課題は、部品点数が少なく、組み付け工数を削減でき、材料コストを削減できるヘッドホンを提供することにある。
【課題を解決するための手段】
【００１０】
上記課題を解決する請求項１に係る発明は、一方の耳に当接する第１のハウジングと、他方の耳に当接する第２のハウジングと、一方の端部側に前記第１のハウジングが、他方の端部側に前記第２のハウジングが取り付けられるヘッドバンドと、該ヘッドバンドに沿って設けられ、前記第１のハウジング側の機器と前記第２のハウジング側の機器とを接続するコードと、前記ヘッドバンドの長手方向に沿って、前記第１のハウジング、前記第２のハウジングのうちの少なくとも一方のハウジングを前記ヘッドバンドの端部に対して接近／離反させるスライド機構と、を有するヘッドホンにおいて、前記ヘッドバンド側、前記ハウジング側のうち一方の側に設けられ、前記コードを固定する第１の固定部と、前記ヘッドバンド側、前記ハウジング側のうち他方の側に設けられ、前記コードを固定する第２の固定部と、前記第２の固定部が設けられた側で、前記第１の固定部を通り、前記ハウジングのスライド方向と平行な直線から離れた箇所に設けられ、前記第１の固定部、前記第２の固定部の間の前記コードの周面が当接可能で、前記ハウジングを前記ヘッドバンドに接近させると、前記第１の固定部側が凸の略Ｕ字形となるように前記コードを変形させる第１のガイドと、前記第２の固定部側が設けられた側に設けられ、前記コードが前記第１のガイド面に沿う方向に前記コードを案内する第２のガイドと、を設けたことを特徴とするヘッドホンである。
【００１１】
ヘッドバンドとハウジングとの間のコードは、第１の固定部と第２固定部とで固定されている。従って、スライド機構により、ハウジングをヘッドバンドの端部から離反させると、コードは伸びる。逆に、ハウジングをヘッドバンドの端部に接近させると、コードはたるむ。
【００１２】
第２のガイドによりコードは第１のガイドに当接している。ハウジングをヘッドバンドの端部に接近させると、第１のガイドにより、たるんだコードは、第１の固定部側が凸の略Ｕ字形となるように変形する。
【００１３】
請求項２に係る発明は、前記ハウジングを前記ヘッドバンドの端部に最も接近させた場合、前記第１のガイドは前記第１の固定部よりも前記ヘッドバンド側に位置し、前記ハウジングを前記ヘッドバンドの端部から最も離反させた場合、前記第１の固定部は前記第１のガイドより前記ヘッドバンド側に位置し、前記第１の固定部は、該第１の固定部で固定された前記コードの部分の軸線の方向が、前記ハウジングのスライド方向と略直交するように、前記コードを固定することを特徴とする請求項１記載のヘッドホンである。
【発明の効果】
【００１４】
請求項１、請求項２に係る発明によれば、前記ヘッドバンド側、前記ハウジング側のうち一方の側に設けられ、前記コードを固定する第１の固定部と、前記ヘッドバンド側、前記ハウジング側のうち他方の側に設けられ、前記コードを固定する第２の固定部と、前記第２の固定部が設けられた側で、前記第１の固定部を通り、前記ハウジングのスライド方向と平行な直線から離れた箇所に設けられ、前記第１の固定部、前記第２の固定部の間の前記コードの周面が当接可能で、前記ハウジングを前記ヘッドバンドに接近させると、前記第１の固定部側が凸の略Ｕ字形となるように前記コードを変形させる第１のガイドと、前記第２の固定部側が設けられた側に設けられ、前記コードが前記第１のガイド面に当接する方向に前記コードを案内する第２のガイドと、を設けたことにより、従来必要であった蓋が不要となり、部品点数が少なくなる。又、蓋を組み付ける工数がないので、組み付け工数を削減できる。蓋が不要となることで、材料コストを削減できる。
【００１５】
請求項２に係る発明によれば、前記ハウジングを前記ヘッドバンドの端部に最も接近させた場合、前記第１のガイドは前記第１の固定部よりも前記ヘッドバンド側に位置し、前記ハウジングを前記ヘッドバンドの端部から最も離反させた場合、前記第１の固定部は前記第１のガイドより前記ヘッドバンド側に位置し、前記第１の固定部は、該第１の固定部で固定された前記コードの部分の軸線の方向が、前記ハウジングのスライド方向と略直交するように、前記コードを固定することにより、スライド機構によりハウジングが移動した際に、第１の固定部でコードが大きく曲げられることがなく、コードの寿命が長くなる。
【発明を実施するための最良の形態】
【００１６】
最初に、図４−図６を用いて実施の形態のヘッドホンの全体構成を説明する。図４は形態例のヘッドホンの正面図、図５は図４のＢ方向矢視図、図６は図４のヘッドホンの斜視図である。これらの図に示すように、ヘッドホン装着者の一方の耳に当接する第１のハウジング５３には、スピーカ５１が設けられている。ヘッドホン装着者の他方の耳に当接する第２のハウジング５７には、スピーカ５５が設けられている。これら第１のハウジング５３と第２のハウジング５７とは、装着者の頭頂部から耳にかけて装着されるヘッドバンド５９の端部に取り付けられている。尚、本形態例のヘッドホンのヘッドバンド５９の内面には、頭部の小さな装着者（子供等）に装着する場合に用いられるサブバンド６０が設けられている。
【００１７】
更に、ヘッドバンド５９内部には、ヘッドバンド５９に沿って、第１のハウジング５３側の機器と第２のハウジング５７側の機器とを接続するコードが設けられている。このような形状ヘッドホンは、オーバーヘッド・ヘッドホンと呼ばれている。
【００１８】
このようなヘッドホンにおいては、ヘッドバンド５９の長手方向に沿って、第１のハウジング５３、第２のハウジング５７をヘッドバンド５９の端部に対して接近／離反可能とし、所望の位置で、その位置を保持せしめるスライド機構が設けられている。
【００１９】
ここで、図１−図３を用いて、スライド機構の説明を行う。尚、第１のハウジング側のスライド機構と、第２のハウジング側のスライド機構とは、同一構造なので、第１のハウジング側のスライド機構で説明を行い、第２スライド機構側のスライド機構の説明は省略する。図１（ａ）は図４の切断線Ａ−Ａでの断面図で第１のハウジングがヘッドバンド５９の端部に最も近づいた状態を示し、図１（ｂ）は図１（ａ）で第１のハウジング５３がヘッドバンド５９の端部に対して最も離反した状態を示す図、図２は図４のヘッドバンドを説明する図で（ａ）図は正面図、（ｂ）図は（ａ）図の切断線Ｂ−Ｂでの断面図、（ｃ）図は（ａ）図の断面図、図３は図１のスライダを説明する図で、（ａ）図は正面図、（ｂ）図は右側面図、（ｃ）図は左側面図、（ｄ）図は背面図、（ｅ）は上面図、（ｆ）図は下面図、（ｇ）図は（ａ）図の切断線Ｃ−Ｃでの断面図である。
【００２０】
最初に、図２を用いてヘッドバンド５９の説明を行う。ヘッドバンド５９の下部で、ヘッドホン装着者の頭部に対向する部分には凹部１０１が形成されている。ヘッドホンの組み付け時、凹部１０１はバンドカバー１０２（図４、図６参照）で覆われている。
【００２１】
凹部１０１の内壁面のうち、ヘッドバンド５９の長手方向に沿った内壁面１０１ａ、１０１ｂには、凹凸部１０３、１０５が形成されている。また、凹部１０１の底面１０１ｃには、コードを固定する第１の固定部１１１が形成されている。本形態例の第１の固定部１１１は、凹部１０１の底面１０１ｃに設けられた２本の円柱状の突起１１１ａ、１１１ｂでなっている。この２本の突起１１１ａ、１１１ｂ間の距離（突起１１１ａの外周面と突起１１１ｂの外周面との距離）は、固定するコードの外径より若干小さくなるように設定され、２本の突起１１１ａ、突起１１１ｂ間に、固定するコードを圧入することで、コードを固定するようになっている。更に、２本の突起１１１ａ、突起１１１ｂは、第１のハウジング５３のスライド方向（図１（ｂ）において矢印Ｅ方向）に沿って設けられている。従って、この第１の固定部１１１で固定されたコードの部分の軸線の方向が第１のハウジング５３のスライド方向と略直交する状態で固定される（図１参照）。また、ヘッドバンド５９には、サブバンド６０を取り付けるための突起５９ａが形成されている。
【００２２】
次に、図３を用いて、ヘッドバンド５９の凹部１０１内を移動するスライダ１５１を説明する。スライダ１５１は、ヘッドバンド５９の凹部１０１内を移動する本体部１５３と、本体部１５３の下部に形成され、第１のハウジング５３方向に延出する円柱部１５５と、円柱部１５５の径より大きな大径部１５７とからなっている。
【００２３】
第１のハウジング５３には、図３（ａ）−図３（ｃ）に示すように、円柱部１５５が挿通する穴５３ａが形成され、第１のハウジング５３の内壁面に大径部１５７が当接することにより、スライダ１５１は第１のハウジング５３に対して回転可能に取り付けられている。
【００２４】
本体部１５３には、図３の下部から上部にかけてコードを固定する溝状の第２の固定部１６１が形成されている。第２の固定部１６１の幅は、固定するコードの外径より若干小さくなるように設定され、第２の固定部１６１に固定するコードを圧入することで、コードを固定するようになっている。
【００２５】
本体部１５３の上側の端面１５３ｃには、下方に向ってスリット１５８、１５９が形成されている。よって、本体部１５３には、スリット１５８，１５９により形成され、ヘッドバンド５９の凹部１０１の凹凸部１０３、１０５と対向する側部１５３ａ、１５３ｂが形成されている。これら側部１５３ａ、１５３ｂは、スリット１５８、１５９によりヘッドバンド５９の凹部１０１の凹凸部１０３、１０５から離れる方向に弾性変形となっている。
【００２６】
本体部１５３の側部１５３ａ、１５３ｂのヘッドバンド５９の凹部１０１の凹凸部１０３、１０５と対向する面には、凹凸部１０３、１０５の凹部と係合可能な凸部１６３、１６５が形成されている。よって、図１に示すように、スライダ１５１をヘッドバンド５９の凹部１０１に配置し、スライダ１５１をヘッドバンド５９の内壁面１０１ａ、１０１ｂに沿って移動させると、スライダ１５１の凸部１６３、１６５が、ヘッドバンド５９の凹凸部１０３、１０５の凸部を乗り越えながら移動する。スライダ１５１の凸部１６３、１６５が、ヘッドバンド５９の凹凸部１０３、１０５の凸部を乗り越える時には、凸部１６３、１６５が設けられるスライダ１５１の側部１５３ａ、１５３ｂが、ヘッドバンド５９の凹部１０１の凹凸部１０３、１０５から離れる方向に弾性変形する。
【００２７】
そして、スライダ１５１を移動させる操作力を停止すると、スライダ１５１の凸部１６３、１６５が、ヘッドバンド５９の凹凸部１０３、１０５の凹部に係合し、スライダ１５１はその位置を保持する。即ち、スライダ１５１のスリット１５８、１５９と側部１５３ａ、１５３ｂと、凸部１６３、１６５と、ヘッドバンド５９の凹部１０１と、内壁面１０１ａ、１０１ｂの凹凸部１０３、１０５とで、ヘッドバンド５９の長手方向に沿って、第１のハウジング５３、第２のハウジング５７をヘッドバンド５９の端部に対して接近／離反可能とし、所望の位置で、その位置を保持せしめるスライド機構が形成されている。
【００２８】
次に、図１、図３を用いて、ヘッドバンド５９の内部に設けられ、第１のハウジング５３側の機器と第２のハウジング５７側の機器とを接続するコードの取り付け構造を説明する。尚、第１のハウジング側のコードの取り付け構造と、第２のハウジング側のコードの取り付け構造とは、同一構造なので、第１のハウジング側のコードの取り付け構造で説明を行い、第２スライド機構側のコードの取り付け構造の説明は省略する。
【００２９】
図３に示すように、スライダ１５１の本体部１５３の端面１５３ｃには、第１のガイド２０１と第２のガイド２１１とが形成されている。
図１に示すように、コード２２１は、ヘッドバンド５９の第１の固定部１１１と、スライダ１５１の第２の固定部１６１とに固定されている。
【００３０】
図１（ｂ）に示すように、スライダ１５１に形成された第１のガイド２０１は、第１の固定部１１１を通り、第１のハウジング５３のスライド方向（図において矢印Ｅ方向）と平行な直線Ｌ１から離れた箇所に設けられている。第１のガイド２０１には、第１の固定部１１１、第２の固定部１６１の間のコード２２１の第１の固定部１１１側の周面が当接可能な第１のガイド面２０１ａが形成されている。
【００３１】
又、スライダ１５１に形成された第２のガイド２１１は、第１の固定部１１１、第２の固定部１６１の間のコード２２１の第１の固定部１１１側の周面と対向する周面に当接し、コード２２１が第１のガイド２０１のガイド面２０１ａに沿う方向にコード２２１を案内するように形成されている。尚、第２のガイド２１１は、第１の固定部１１１、第２の固定部１６１の間のコード２２１の第１の固定部１１１側の周面と対向する周面に若干の隙間を介して対向するようにしてもよい。
【００３２】
そして、図１（ｂ）に示すように、第１のハウジング５３をヘッドバンド５９の端部から最も離反させた場合、第１の固定部１１１は第１のガイド２０１よりヘッドバンド５９側に位置し、コード２２１は蛇行せずほぼ伸びきった状態にある。この状態から、第１のハウジング５３をヘッドバンド５９に接近させると、コード２２１はたるんでくる。
【００３３】
このとき、第１の固定部１１１を通り、第１のハウジング５３のスライド方向（図において矢印Ｅ方向）と平行な直線Ｌ１から離れた箇所に設けられている第１のガイド２０１により、図１（ａ）に示すように、コード２２１は、第１の固定部１１１側が凸の略Ｕ字形となるように変形する。図１（ａ）に示す状態は、第１のハウジング５３をヘッドバンド５９の端部から最も接近させた場合で、第１のガイド２０１は第１の固定部１１１よりヘッドバンド５９側に位置している。
【００３４】
このような構成によれば、以下のような効果を得ることができる。
（１）コード２２１をヘッドバンド５９の第１の固定部１１１とスライダ１５１の第２の固定部１６１とで固定し、スライダ１５１に第１のガイド２０１、第２のガイド２１１を設けたことにより、従来必要であった蓋が不要となり、部品点数が少なくなる。又、蓋を組み付ける工数がないので、組み付け工数を削減できる。蓋が不要となることで、材料コストを削減できる。
（２）第１のハウジング５３をヘッドバンド５９の端部に最も接近させた場合（図１（ａ）に示す状態）、第１のガイド２０１は第１の固定部１１１よりもヘッドバンド５９側に位置し、第１のハウジング５３をヘッドバンド５９の端部から最も離反させた場合（図１（ｂ）に示す様態）、第１の固定部１１１は第１のガイド２０１よりヘッドバンド５９側に位置し、第１の固定部１１１は、第１の固定部１１１で固定されたコード２２１の部分の軸線の方向が、第１のハウジング５３のスライド方向と略直交するように、コード２２１を固定することにより、スライド機構により第１のハウジング５３が移動した際に、第１の固定部１１１でコード２２１が大きく曲げられることがなく、コード２２１の寿命が長くなる。
【００３５】
尚、本発明は上記形態例に限定するものではない。上記形態例では、スライダ１５１側に第１のガイド２０１、第２のガイド２１１を設けたが、ヘッドバンド５９側に設けてもよい。
【図面の簡単な説明】
【００３６】
【図１】（ａ）図は図４の切断線Ａ−Ａでの断面図で第１のハウジングがヘッドバンドの端部に最も近づいた状態を示し、（ｂ）図は（ａ）図で第１のハウジング５３がヘッドバンド５９の端部に対して最も離反した状態を示す図である。
【図２】図４のヘッドバンドを説明する図で（ａ）図は正面図、（ｂ）図は（ａ）図の切断線Ｂ−Ｂでの断面図、（ｃ）図は（ａ）図の断面図である。
【図３】図１のスライダを説明する図で、（ａ）図は正面図、（ｂ）図は右側面図、（ｃ）図は左側面図、（ｄ）図は背面図、（ｅ）は上面図、（ｆ）図は下面図、（ｇ）図は（ａ）図の切断線Ｃ−Ｃでの断面図である。
【図４】形態例のヘッドホンの正面図である。
【図５】図４のＢ方向矢視図である。
【図６】図４のヘッドホンの斜視図である。
【図７】従来のヘッドホンを説明する図である。
【符号の説明】
【００３７】
５３  ハウジング
５９  ヘッドバンド
１１１  第１の固定部
１６１  第２の固定部
２０１  第１のガイド
２１１  第２のガイド
２２１  コード
【図１】
0004515982.tif 000002
【図２】
0004515982.tif 000003
【図３】
0004515982.tif 000004
【図４】
0004515982.tif 000005
【図５】
0004515982.tif 000006
【図６】
0004515982.tif 000007
【図７】
0004515982.tif 000008